(57)【要約】  本発明は、通信領域に関わり、Ｅ−ＰＤＣＣＨ伝送及びブラインド検出の方法及び装置を提供した。当該方法は、ネットワーク側がサブフレーム割当ごとに、対応するＥ−ＰＤＣＣＨ伝送の資源の設定を行うものである。端末は各サブフレームにおいて、異なる方式を採用して、Ｅ−ＰＤＣＣＨブラインド検出をそれぞれ行う。このようにして、Ｅ−ＰＤＣＣＨ伝送はより良いリンクアダプティブを実現できることで、各サブフレームにおけるＥ−ＰＤＣＣＨ伝送の均一性を確保できる。従って、端末のＥ−ＰＤＣＣＨブラインド検出の効果を高め、Ｅ−ＰＤＣＣＨ復調の性能をさらに高める。
2015520549.tif 000002
【特許請求の範囲】
【請求項１】
物理ダウンリンク制御チャネルＥ−ＰＤＣＣＨ伝送を強化する方法であって、   
ネットワーク側のプリセットした設定情報に基づいて、各サブフレームにおいて、Ｅ−ＰＤＣＣＨ伝送を行う時に占有する時間・周波数資源を、それぞれ確定するステップと、
確定結果に基づいて、各サブフレームにおいて、対応する時間・周波数資源を使用して、端末側へＥ−ＰＤＣＣＨ伝送を行うステップと
を備えることを特徴とする方法。
【請求項２】
ネットワーク側のプリセットした設定情報に基づいて、各サブフレームにおいてＥ−ＰＤＣＣＨ伝送を行う時に占有する時間・周波数資源を、それぞれ確定することは、
ネットワーク側のプリセットした設定情報に基づいて、プリセットのルールで、各サブフレームにおける単一のアグリゲーションレベルの資源粒度に含まれる増強資源エレメント・グループ（Ｅ−ＲＥＧ）の数を、それぞれ確定するステップと、
及び／又は
ネットワーク側のプリセットした設定情報に基づいて、プリセットのルールで、各サブフレームに対応するアグリゲーションレベル集合及び最小アグリゲーションレベルを、それぞれ確定するステップと
を備えることを特徴とする請求項１に記載の方法。
【請求項３】
ネットワーク側のプリセットした設定情報に基づいて、プリセットのルールで、任意の１つのサブフレームにおける単一のアグリゲーションレベルの資源粒度に含まれるＥ−ＲＥＧの数を確定することは、
ネットワーク側のプリセットした設定情報に基づいて、前記任意の１つのサブフレームにおける参考信号伝送を搬送する資源エレメント（ＲＥ）の数を確定するとともに、参考信号伝送を搬送する資源エレメント（ＲＥ）の数に基づいて、前記任意の１つのサブフレームにおける１つのＲ−ＲＥＧにおいてＥ−ＰＤＣＣＨ伝送を搬送するためのＲＥの数を確定し、Ｅ−ＰＤＣＣＨ伝送を搬送する前記のＲＥの数を設定閾値と比較して、比較結果に基づいて、前記任意の１つのサブフレームにおける単一のアグリゲーションレベルの資源粒度に含まれるＥ−ＲＥＧの数を確定するステップ
を備えることを特徴とする請求項２に記載の方法。
【請求項４】
ネットワーク側のプリセットした設定情報に基づいて、プリセットのルールで、任意の１つのサブフレームに対応するアグリゲーションレベル集合及び最小アグリゲーションレベルを確定することは、
ネットワーク側のプリセットした設定情報に基づいて、前記任意の１つのサブフレームにおける参考信号伝送を搬送する資源エレメント（ＲＥ）の数を確定するとともに、参考信号伝送を搬送するＲＥの数に基づいて、前記任意の１つのサブフレームにおける１つのＲ−ＲＥＧにおいてＰＤＣＣＨ伝送を搬送するためのＲＥの数を確定し、ＰＤＣＣＨ伝送を搬送する前記のＲＥの数を設定閾値と比較して、比較結果に基づいて、前記任意の１つのサブフレームに対応するアグリゲーションレベル集合及び最小アグリゲーションレベルを確定するステップ
を備えることを特徴とする請求項２に記載の方法。
【請求項５】
ネットワーク側のプリセットした設定情報に基づいて、プリセットのルールで、各サブフレームにおける単一のアグリゲーションレベルの資源粒度に含まれる増強資源エレメント・グループＥ−ＲＥＧの数をそれぞれ確定した後で、Ｅ−ＰＤＣＣＨ伝送を行う前には、
上位層シグナリングを介して、各サブフレームにおける単一のアグリゲーションレベルの資源粒度に含まれるＥ−ＲＥＧの数を端末に通知するか、又は、ネットワーク側のプリセットした設定情報を端末に通知して、端末がネットワーク側と同じプリセットルールで各サブフレームにおける単一のアグリゲーションレベルの資源粒度に含まれるＥ−ＲＥＧの数をそれぞれ確定するように指示するステップを備え、
ネットワーク側のプリセットした設定情報に基づいて、プリセットのルールで、各サブフレームに対応するアグリゲーションレベル集合及び最小アグリゲーションレベルをそれぞれ確定した後で、Ｅ−ＰＤＣＣＨ伝送を行う前には、
上位層シグナリングを介して、各サブフレームに対応するアグリゲーションレベル集合及び最小アグリゲーションレベルを端末に指示するか、又は、ネットワーク側のプリセットした設定情報を端末に通知して、端末がネットワーク側と同じプリセットのルールで各サブフレームに対応するアグリゲーションレベル集合及び最小アグリゲーションレベルを確定するように指示するステップ
を備えることを特徴とする請求項２、請求項３又は請求項４に記載の方法。
【請求項６】
上位層シグナリングを介して、任意の１つのサブフレームに対応するアグリゲーションレベル集合及び最小アグリゲーションレベルを端末に指示することは、
上位層シグナリングを介して、前記任意の１つのサブフレームに対応するアグリゲーションレベルを端末に通知し、端末が取得した最小アグリゲーションレベルに基づいて、対応するアグリゲーションレベルを確定するように指示するステップと、
又は、上位層シグナリングを介して、前記任意の１つのサブフレームに対応するアグリゲーションレベル集合を端末側に通知し、端末が取得したアグリゲーションレベル集合に基づいて、対応する最小アグリゲーションレベルを確定するように指示するステップと、
又は、上位層シグナリングを介して、前記任意の１つのサブフレームに対応する候補Ｅ−ＰＤＣＣＨチャネル集合を端末側に通知し、端末が候補Ｅ−ＰＤＣＣＨチャネル集合に基づいて、対応するアグリゲーションレベル集合及び最小アグリゲーションレベルを確定するように指示するステップと
を備えることを特徴とする請求項１に記載のリソース位置指示方法。  
【請求項７】
物理ダウンリンク制御チャネルＥ−ＰＤＣＣＨブラインド検出を増強する方法であって、   
ネットワーク側の指示に基づいて、各サブフレームにおけるＥ−ＰＤＣＣＨブラインド検出を行う時に占有した時間・周波数資源を、それぞれ確定するステップと、
確定結果に基づいて、各サブフレームにおいて、対応する時間・周波数資源を使用して、Ｅ−ＰＤＣＣＨブラインド検出を行うステップと
を備えることを特徴とする方法。
【請求項８】
ネットワーク側の指示に基づいて、各サブフレームにおけるＥ−ＰＤＣＣＨブラインド検出を行う時に占有した時間・周波数資源を、それぞれ確定することは、
ネットワーク側から送信した上位層シグナリングに基づいて、又は、取得したネットワーク側のプリセットした設定情報に基づいて、ネットワーク側と同じプリセットのルールで、各サブフレームにおける単一のアグリゲーションレベルの資源粒度に含まれるＥ−ＲＥＧの数をそれぞれ確定するステップ、
及び／又は
ネットワーク側から送信した上位層シグナリングに基づいて、又は、取得したネットワーク側のプリセットした設定情報に基づいて、ネットワーク側と同じプリセットのルールで、各サブフレームに対応するアグリゲーションレベル及び最小アグリゲーションレベルをそれぞれ確定するステップ
を備えることを特徴とする請求項７に記載の方法。  
【請求項９】
ネットワーク側から送信した上位層シグナリングに基づいて、任意の１つのサブフレームに対応するアグリゲーションレベル集合及び最小アグリゲーションレベルを確定することは、
ネットワーク側から送信した上位層シグナリングに基づいて、前記任意の１つのサブフレームに対応する最小アグリゲーションレベルを取得し、前記の最小アグリゲーションレベルに基づいて、対応するアグリゲーションレベルを確定するステップと、
又は、ネットワーク側から送信した上位層シグナリングに基づいて、前記任意の１つのサブフレームに対応するアグリゲーションレベル集合を取得し、前記のアグリゲーションレベル集合に基づいて、対応する最小アグリゲーションレベルを確定するステップと、
又は、ネットワーク側から送信した上位層シグナリングに基づいて、前記任意の１つのサブフレームに対応するＥ−ＰＤＣＣＨチャネル集合を取得し、前記の候補Ｅ−ＰＤＣＣＨチャネル集合に基づいて、対応するアグリゲーションレベル集合及び最小アグリゲーションレベルを確定するステップと
を備えることを特徴とする請求項８に記載の方法。
【請求項１０】
取得したネットワーク側のプリセットした設定情報に基づいて、ネットワーク側と同じプリセットのルールで、任意の１つのサブフレームにおける単一のアグリゲーションレベルの資源粒度に含まれるＥ−ＲＥＧの数を確定することは、
ネットワーク側のプリセットした設定情報に基づいて、前記任意の１つのサブフレームにおける参考信号伝送を搬送する資源エレメント（ＲＥ）の数を確定するとともに、参考信号伝送を搬送する資源エレメント（ＲＥ）の数に基づいて、前記任意の１つのサブフレームにおける１つのＲ−ＲＥＧにおいてＥ−ＰＤＣＣＨ伝送を搬送するためのＲＥの数を確定し、Ｅ−ＰＤＣＣＨ伝送を搬送する前記のＲＥの数を設定閾値と比較して、比較結果に基づいて、前記任意の１つのサブフレームにおける単一のアグリゲーションレベルの資源粒度に含まれるＥ−ＲＥＧの数を確定するステップ
を備えることを特徴とする請求項８又は９に記載の方法。
【請求項１１】
ネットワーク側のプリセットした設定情報に基づいて、ネットワーク側と同じプリセットのルールで、任意の１つのサブフレームに対応するアグリゲーションレベル集合及び最小アグリゲーションレベルを確定することは、
ネットワーク側のプリセットした設定情報に基づいて、前記任意の１つのサブフレームにおける参考信号伝送を搬送する資源エレメント（ＲＥ）の数を確定するとともに、参考信号伝送を搬送するＲＥの数に基づいて、前記任意の１つのサブフレームにおける１つのＲ−ＲＥＧにおいてＰＤＣＣＨ伝送を搬送するためのＲＥの数を確定し、ＰＤＣＣＨ伝送を搬送する前記のＲＥの数を設定閾値と比較して、比較結果に基づいて、前記任意の１つのサブフレームに対応するアグリゲーションレベル集合及び最小アグリゲーションレベルを確定するステップ
を備えることを特徴とする請求項８又は９に記載の方法。
【請求項１２】
物理ダウンリンク制御チャネルＥ−ＰＤＣＣＨ伝送を増強する装置であって、   
ネットワーク側のプリセットした設定情報に基づいて、各サブフレームにおいてＥ−ＰＤＣＣＨ伝送を行う時に占有する時間・周波数資源をそれぞれ確定するための処理ユニットと、
確定結果に基づいて、各サブフレームにおいて、対応する時間・周波数資源を使用して、端末側へＥ−ＰＤＣＣＨ伝送を行うための通信ユニットと
備える装置である。
【請求項１３】
前記処理ユニットは、ネットワーク側の設定情報に基づいて、各サブフレームにおいてＥ−ＰＤＣＣＨ伝送を行う時に占有する時間・周波数資源をそれぞれ確定する時に、ネットワーク側のプリセットした設定情報に基づいて、プリセットのルールで、各サブフレームにおける単一のアグリゲーションレベルの資源粒度に含まれる増強資源エレメント・グループＥ−ＲＥＧの数をそれぞれ確定し、
及び／又は、
前記処理ユニットは、ネットワーク側の設定情報に基づいて、各サブフレームにおいてＥ−ＰＤＣＣＨ伝送を行う時に占有する時間・周波数資源をそれぞれ確定する時に、ネットワーク側のプリセットした設定情報に基づいて、プリセットのルールで、各サブフレームに対応するアグリゲーションレベル集合及び最小アグリゲーションレベルをそれぞれ確定することを特徴とする請求項１２に記載の装置。  
【請求項１４】
前記処理ユニットは、ネットワーク側のプリセットした設定情報に基づいて、プリセットのルールで、任意の１つのサブフレームにおける単一のアグリゲーションレベルの資源粒度に含まれるＥ−ＲＥＧの数を確定する時に、ネットワーク側のプリセットした設定情報に基づいて、前記任意の１つのサブフレームにおける参考信号伝送を搬送する資源エレメント（ＲＥ）の数を確定するとともに、参考信号伝送を搬送する前記のＲＥの数に基づいて、前記任意の１つのサブフレームにおける１つのＲ−ＲＥＧにおいてＥ−ＰＤＣＣＨ伝送を搬送するためのＲＥの数を確定し、Ｅ−ＰＤＣＣＨ伝送を搬送する前記のＲＥの数を設定閾値と比較して、比較結果に基づいて、前記任意の１つのサブフレームにおける単一のアグリゲーションレベルの資源粒度に含まれるＥ−ＲＥＧの数を確定することを特徴とする請求項１３に記載の装置。
【請求項１５】
前記処理ユニットは、ネットワーク側のプリセットした設定情報に基づいて、プリセットのルールで、任意の１つのサブフレームに対応するアグリゲーションレベル集合及び最小アグリゲーションレベルを確定する時に、ネットワーク側のプリセットした設定情報に基づいて、前記任意の１つのサブフレームにおける参考信号伝送を搬送する資源エレメント（ＲＥ）の数を確定するとともに、参考信号伝送を搬送する前記のＲＥの数に基づいて、前記任意の１つのサブフレームにおける１つのＲ−ＲＥＧにおいてＰＤＣＣＨ伝送を搬送するためのＲＥの数を確定し、ＰＤＣＣＨ伝送を搬送する前記のＲＥの数を設定閾値と比較して、比較結果に基づいて、前記任意の１つのサブフレームに対応するアグリゲーションレベル集合及び最小アグリゲーションレベルを確定することを特徴とする請求項１３に記載の装置。
【請求項１６】
前記処理ユニットは、ネットワーク側のプリセットした設定情報に基づいて、プリセットのルールで、各サブフレームにおける単一のアグリゲーションレベルの資源粒度に含まれる増強資源エレメント・グループＥ−ＲＥＧの数をそれぞれ確定した後で、前記通信ユニットはＥ−ＰＤＣＣＨ伝送を行う前に、前記通信ユニットは、上位層シグナリングを介して、各サブフレームにおける単一のアグリゲーションレベルの資源粒度に含まれるＥ−ＲＥＧの数を端末に通知し、
又は、ネットワーク側のプリセットした設定情報を端末に通知し、端末がネットワーク側と同じプリセットルールで各サブフレームにおける単一のアグリゲーションレベルの資源粒度に含まれるＥ−ＲＥＧの数をそれぞれ確定するように指示し、
ネットワーク側のプリセットした設定情報に基づいて、プリセットのルールで、各サブフレームに対応するアグリゲーションレベル集合及び最小アグリゲーションレベルをそれぞれ確定した後で、Ｅ−ＰＤＣＣＨ伝送を行う前には、
前記処理ユニットは、ネットワーク側のプリセットした設定情報に基づいて、プリセットのルールで、各サブフレームに対応するアグリゲーションレベル集合及び最小アグリゲーションレベルをそれぞれ確定した後で、前記通信ユニットはＥ−ＰＤＣＣＨ伝送を行う前に、前記通信ユニットは、上位層シグナリングを介して、各サブフレームに対応するアグリゲーションレベル集合及び最小アグリゲーションレベルを端末に指示し、
又は、ネットワーク側のプリセットした設定情報を端末に通知して、端末がネットワーク側と同じプリセットのルールで各サブフレームに対応するアグリゲーションレベル集合及び最小アグリゲーションレベルを確定するように指示することを特徴とする請求項１３、１４又は１５に記載の装置。
【請求項１７】
前記通信ユニットは、上位層シグナリングを介して、任意の１つのサブフレームに対応するアグリゲーションレベル集合及び最小アグリゲーションレベルを端末に指示する時に、上位層シグナリングを介して、前記任意の１つのサブフレームに対応する最小アグリゲーションレベルを端末側に通知して、端末が取得した最小アグリゲーションレベルに基づいて、対応するアグリゲーションレベルを確定するように指示、
又は、上位層シグナリングを介して、前記任意の１つのサブフレームに対応するアグリゲーションレベル集合を端末側に通知して、端末が取得したアグリゲーションレベル集合に基づいて、対応する最小アグリゲーションレベルを確定するように指示し、
又は、上位層シグナリングを介して、前記任意の１つのサブフレームに対応する候補Ｅ−ＰＤＣＣＨチャネル集合を端末側に通知して、端末が候補Ｅ−ＰＤＣＣＨチャネル集合に基づいて、対応するアグリゲーションレベル集合及び最小アグリゲーションレベルを確定するように指示することを特徴とする請求項１６に記載の装置。
【請求項１８】
物理ダウンリンク制御チャネルＥ−ＰＤＣＣＨブラインド検出を増強する装置であって、
ネットワーク側の指示に基づいて、各サブフレームにおいてＥ−ＰＤＣＣＨブラインド検出を行う時に占有した時間・周波数資源をそれぞれ確定するための制御ユニットと、
確定結果に基づいて、各サブフレームにおいて、対応する時間・周波数資源を使用して、Ｅ−ＰＤＣＣＨブラインド検出をそれぞれ行うためのブラインド検出ユニットと
備える装置である。
【請求項１９】
前記制御ユニットは、ネットワーク側の指示に基づいて、各サブフレームにおいてＥ−ＰＤＣＣＨ伝送を行う時に占有した時間・周波数資源をそれぞれ確定する時に、
ネットワーク側から送信した上位層シグナリングに基づいて、又は、取得したネットワーク側のプリセットした設定情報に基づいて、ネットワーク側と同じプリセットのルールで、各サブフレームにおける単一のアグリゲーションレベルの資源粒度に含まれるＥ−ＲＥＧの数をそれぞれ確定し、
及び／又は
ネットワーク側から送信した上位層シグナリングに基づいて、又は、取得したネットワーク側のプリセットした設定情報に基づいて、ネットワーク側と同じプリセットのルールで、各サブフレームに対応するアグリゲーションレベル及び最小アグリゲーションレベルをそれぞれ確定することを特徴とする請求項１８に記載の装置。
【請求項２０】
前記制御ユニットは、ネットワーク側から送信した上位層シグナリングに基づいて、任意の１つのサブフレームに対応するアグリゲーションレベル集合及び最小アグリゲーションレベルを確定する時に、ネットワーク側から送信した上位層シグナリングに基づいて、前記任意の１つのサブフレームに対応する最小アグリゲーションレベルを取得し、前記の最小アグリゲーションレベルに基づいて、対応するアグリゲーションレベル集合を確定し、
又は、ネットワーク側から送信した上位層シグナリングに基づいて、前記任意の１つのサブフレームに対応するアグリゲーションレベル集合を取得し、前記のアグリゲーションレベル集合に基づいて、対応する最小アグリゲーションレベルを確定し、
又は、ネットワーク側から送信した上位層シグナリングに基づいて、前記任意の１つのサブフレームに対応するＥ−ＰＤＣＣＨチャネル集合を取得し、前記の候補Ｅ−ＰＤＣＣＨチャネル集合に基づいて、対応するアグリゲーションレベル集合及び最小アグリゲーションレベルを確定することを特徴とする請求項１９に記載の装置。
【請求項２１】
前記制御ユニットは、取得したネットワーク側のプリセットした設定情報に基づいて、ネットワーク側と同じプリセットのルールで、任意の１つのサブフレームにおける単一のアグリゲーションレベルの資源粒度に含まれるＥ−ＲＥＧの数を確定する時に、ネットワーク側のプリセットした設定情報に基づいて、前記任意の１つのサブフレームにおける参考信号伝送を搬送する資源エレメント（ＲＥ）の数を確定するとともに、参考信号伝送を搬送するＲＥの数に基づいて、前記任意の１つのサブフレームにおける１つのＲ−ＲＥＧにおいてＥ−ＰＤＣＣＨ伝送を搬送するためのＲＥの数を確定し、Ｅ−ＰＤＣＣＨ伝送を搬送する前記のＲＥの数を設定閾値と比較して、比較結果に基づいて、前記任意の１つのサブフレームにおける単一のアグリゲーションレベルの資源粒度に含まれるＥ−ＲＥＧの数を確定することを特徴とする請求項１９又は２０に記載の装置。
【請求項２２】
前記制御ユニットは、取得したネットワーク側のプリセットした設定情報に基づいて、ネットワーク側と同じプリセットのルールで、任意の１つのサブフレームに対応するアグリゲーションレベル集合及び最小アグリゲーションレベルを確定する時に、ネットワーク側のプリセットした設定情報に基づいて、前記任意の１つのサブフレームにおける参考信号伝送を搬送する資源エレメント（ＲＥ）の数を確定するとともに、参考信号伝送を搬送するＲＥの数に基づいて、前記任意の１つのサブフレームにおける１つのＲ−ＲＥＧにおいてＰＤＣＣＨ伝送を搬送するためのＲＥの数を確定し、ＰＤＣＣＨ伝送を搬送する前記のＲＥの数を設定閾値と比較して、比較結果に基づいて、前記任意の１つのサブフレームに対応するアグリゲーションレベル集合及び最小アグリゲーションレベルを確定することを特徴とする請求項１９又は２０に記載の装置。
【発明の詳細な説明】
【技術分野】
【０００１】
本発明は無線通信分野に関し、特にＥ−ＰＤＣＣＨ伝送、ブラインド検出の方法および装置に関する。
【背景技術】
【０００２】
本出願は、２０１２年４月２３日に中国特許局に提出し、出願番号が２０１２１０１２０７３５．９であり、発明名称が「Ｅ−ＰＤＣＣＨ伝送、ブラインド検出の方法および装置」である中国特許出願を基礎とする優先権を主張し、その開示の総てをここに取り込む。
ＬＴＥ（Ｌｏｎｇ  Ｔｅｒｍ  Ｅｖｏｌｕｔｉｏｎ，ロング・ターム・エボリューション）Ｒｅｌ−8／９／１０システムにおいて、ＰＤＣＣＨ（Ｐｈｙｓｉｃａｌ  Ｄｏｗｎｌｉｎｋ  Ｃｏｎｔｒｏｌ  Ｃｈａｎｎｅｌ，物理ダウンリンク制御チャネル）は、各無線サブフレームにおいて送信を行い、図１に示すように、ＰＤＣＣＨは、１つのサブフレームにおける前部のＮ個ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，直交周波数分割多重）符号を介して送信する。ここで、Ｎの値は１、２、３または、４にすることができ、Ｎ＝４は、システム帯域幅が１．４ＭＨｚであるシステムの場合のみで許可される。ここでは、前部のＮ個ＯＦＤＭ符号は「伝統的なＰＤＣＣＨ領域」と呼ばれ、制御領域とも呼ばれる。
【０００３】
ＬＴＥ  Ｒｅｌ−８／９／１０システムにおいて、ＰＤＣＣＨを伝送する制御領域は、ロジック的に区別するＣＣＥ（Ｃｏｎｔｒｏｌ  Ｃｈａｎｎｅｌ  Ｅｌｅｍｅｎｔ，制御チャネルエレメント）により構成される。ここで、１つのＣＣＥは９つのＲＥＧ（Ｒｅｓｏｕｒｃｅ  Ｅｌｅｍｅｎｔ  Ｇｒｏｕｐ，資源エレメントグループ）からなり、ＣＣＥからＲＥＧまでのマッピングは、ＲＥＧインターリービングに基づく方法を採用して、帯域全体範囲内にマッピングする。１つのＲＥＧは、時間領域において同様に、周波数領域における隣接する４つのＲＥ（Ｒｅｓｏｕｒｃｅ  Ｅｌｅｍｅｎｔ，資源エレメント）からなる。ここで、ＲＥＧを構成するＲＥは、共通参考符号の伝送用のＲＥを含まない。具体的なＲＥＧの定義は図２に示す通り。具体的なＲＥＧの定義、及びＣＣＥとＲＥＧのマッピング方法は標準３６.２１１における記述を参照する。
【０００４】
ＤＣＩ（Ｄｏｗｎｌｉｎｋ  Ｃｏｎｔｒｏｌ  Ｉｎｆｏｒｍａｔｉｏｎ，ダウンリンク制御情報）の伝送もＣＣＥに基づいて行い、１つのＵＥの１つのＤＣＩは、Ｍ個のロジック的に連続するＣＣＥにおいて送信できる。ＬＴＥシステムにおいてＭの値が１、２、４または、８にすることができ、これは、ＣＣＥアグリゲーションレベル（Ａｇｇｒｅｇａｔｉｏｎ  Ｌｅｖｅｌ。）と呼ばれる。ＵＥは、制御領域においてＰＤＣＣＨブラインド検出を行い、ＵＥに送信したＰＤＣＣＨシグナリングがあるか否かを検索する。ブラインド検出は、即ち、当該ＵＥのＲＮＴＩ（Ｒａｄｉｏ  Ｎｅｔｗｏｒｋ  Ｔｅｍｐｏｒａｒｙ  Ｉｄｅｎｔｉｔｙ，無線ネットワーク臨時識別子）を使用し、異なるＤＣＩフォーマットおよびＣＣＥアグリゲーションレベルに対し、復号を試みることである。もし復号が正確であれば、当該ＵＥに対するＤＣＩを受信する。ＬＴＥ  ＵＥは、非ＤＲＸ（Ｄｉｓｃｏｎｔｉｎｕｏｕｓ  Ｒｅｃｅｐｔｉｏｎ，非連続伝送）状態にある各ダウンリンクサブフレームにおいて、全ての制御領域に対し、ブラインド検出を行わればならず、ＰＤＣＣＨを検索する。
【０００５】
ＬＴＥ  Ｒｅｌ−１０システムにおいて、Ｒｅｌａｙ（中継）システムに用いられるＰＤＣＣＨをを、Ｒ−ＰＤＣＣＨと定義する。当該Ｒ−ＰＤＣＣＨはＰＤＳＣＨ領域を占有し、Ｒ−ＰＤＣＣＨとＰＤＳＣＨの資源構成図は具体的には図３の図示を参照する。ここで、Ｒ−ＰＤＣＣｈは基地局がＲｅｌａｙに制御シグナリングを伝送するためのもので、Ｌｅｇａｃｙ  ＰＤＣＣＨ、即ちＬＴＥ  Ｒｅｌ−８／９／１０において定義する伝統的なＰＤＣＣＨ領域、制御領域とも呼ばれる。
【０００６】
Ｒ−ＰＤＣＣＨが占有する資源は上位層シグナリングにより設置される。Ｒ−ＰＤＣＣＨが占有するＰＲＢ  ｐａｉｒ（ｐｈｙｓｉｃａｌ  ｒｅｓｏｕｒｃｅ  ｂｌｏｃｋｐａｉｒ，周波数資源ブロックペア）資源は、連続してもよいし、非連続してもよい。
【０００７】
ＰＲＢは、時間領域における１つのｓｌｏｔ（タイムスロット）と周波数領域における１つのＲＢ（Ｒａｄｉｏ  Ｂｅａｒｅｒ、無線ベアラー）からなる資源単位である。そのうちの１つのｓｌｏｔは、ｎｏｒｍａｌ  ＣＰ（普通サイクリックプレフィックス）場合において連続する７つのＯＦＤＭ符号であり、又は、ｅｘｔｅｎｄｅｄ  ＣＰ（拡張サイクリックプレフィックス）場合において連続する６つのＯＦＤＭ符号である。ｎｏｒｍａｌ  ＣＰを示例とすると、１つのＲＢは周波数領域における連続する１２個のサブキャリヤからなる。これに応じて、ＰＲＢ  ｐａｉｒは、時間領域における１つのサブフレーム内の２つのｓｌｏｔと、周波数領域における１つのＲＢからなる資源単位である。Ｒ−ＰＤＣＣＨの検索スペースに関連する定義によれば、Ｒ−ＰＤＣＣＨは、共通検索スペースを備えず、Ｒｅｌａｙ専属のＲ−ＰＤＣＣＨ検索スペースしか備えない。そのＤＬ  ｇｒａｎｔ（ダウンリンク・スケジューリング・シグナリング）シグナリングとＵＬ  ｇｒａｎｔ（アップリンク・スケジューリング・シグナリング）シグナリングは、ＴＤＭ（Ｔｉｍｅ  Ｄｉｖｉｓｉｏｎ  Ｍｕｌｔｉｐｌｅｘ  ａｎｄ  Ｍｕｌｔｉｐｌｅｘｅｒ, 時分割多重）スキームにより伝送される。
【０００８】
ＤＬ  ｇｒａｎｔは、第１タイムスロットにおいて伝送され、第１タイムスロットにおいて、ＲｅｌａｙはＤＣＩ  ｆｏｒｍａｔ  １Ａと、ダウンリンク伝送態様に関する１つのＤＣＩ  ｆｏｒｍａｔを検出する。
【０００９】
ＵＬ  ｇｒａｎｔは第２タイムスロットにおいて伝送され、第２タイムスロットにおいて、Ｒｅｌａｙは、ＤＣＩ  ｆｏｒｍａｔ  ０と、アップリンク伝送態様に関する１つのＤＣＩ  ｆｏｒｍａｔとを検出する。
【００１０】
同時に、Ｒ−ＰＤＣＣＨ伝送においては、２つの伝送スキームが定義され、それぞれはインターリービング態様と非インターリービング態様である。
【００１１】
インターリービング態様は、ＬＴＥ  Ｒｅｌ−８／９／１０システムにおけるＰＤＣＣＨの定義、アグリゲーションレベル及びＣＣＥ単位を続用する。各ＣＣＥは、９個のＲＥＧにより構成される。ここで、ＣＣＥとＲＳＧの間のマッピングは、ＰＤＣＣＨにおいて定義されたインターリービング態様を続用する。
【００１２】
非インターリービング態様は、そのアグリゲーションレベルの単位がＰＲＢであり、ここで、検索スペースにおける候補チャンネルが占有する資源は、ＰＲＢの順位と固定のマッピング関係を有する。
【００１３】
図４に示すように、図４はＬＥＴ  Ｒｅｌ−１０システムにおけるＣＳＩ−ＲＳ（Ｃｈａｎｎｅｌ  Ｓｔａｔｅ  Ｉｎｆｏｒｍａｔｉｏｎ  ｒｅｆｅｒｅｎｃｅ  ｓｉｇｎａｌ, チャンネル状態情報測定参考信号）構成図を示す。そこで、アラビア数字が記されるＲＥ位置は、システムにおいてＣＳＩ−ＲＳ伝送が設定される可能性がある資源位置である。
ＣＳＩ−ＲＳ伝送態様は、２ポートによる多重態様と、４ポートによる多重態様と、８ポートによる多重態様とに区分される。
各端末には独自にＣＳＩ−ＲＳの端末数及び資源位置が設定される。こうして、異なる端末の占有する資源位置が異なるようになる可能性がある。
しかも、各端末にはＺｅｒｏｐｏｗｅｒＣＳＩ−ＲＳ（即ち、零電力）が設定されてもよい。その設定関係は４ポートによる多重態様を参照して行なう。
ＺｅｒｏｐｏｗｅｒＣＳＩ−ＲＳに対応する資源位置にはいかなる信号を送信しない。
ある４ポートＣＳＩ−ＲＳ態様が、ＺｅｒｏｐｏｗｅｒＣＳＩ−ＲＳに設定される場合、端末が当該ＲＥ位置にてＰＤＳＣＨ（Ｐｈｙｓｉｃａｌ  ＤｏｗｎｌｉｎｋＳｈａｒｅｄ  Ｃｈａｎｎｅｌ）を送信しないと認識することを示す。図４から分かるように、１つのＰＲＢ  ｐａｉｒにおいて、ＣＳＩ−ＲＳ／Ｚｅｒｏ  ｐｏｗｅｒ  ＣＳＩ−ＲＳの構成に応じて、ＰＤＣＣＨ伝送を搬送できる資源のサイズも異なるようになる。
【００１４】
ＬＥＴ  Ｒｅｌ−１１のＥ−ＰＤＣＣＨ（強化型ＰＤＣＣＨ）を検討する際に、異なる状況に応じるように、Ｅ−ＰＤＣＣＨは周波数領域連続伝送（ｌｏｃａｌｉｚｅｄ）と周波数領域非連続伝送（ｄｉｓｔｒｉｂｕｔｅｄ）という２つの態様が必要であることが確定された。
通常、ｌｏｃａｌｉｚｅｄ伝送は、基地局が端末からフィードバックされる更なる精確なチャンネル情報を取得し、且つ隣接セールの干渉がサブフレームにつれて激しく変化しないシナリオに適用する場合が多い。
この時、基地局は、端末からフィードバックされたＣＳＩ（Ｃｈａｎｎｅｌ  Ｓｔａｔｅ  Ｉｎｆｏｒｍａｔｉｏｎ，チャンネル状態情報）品質よい連続周波数資源を当該端末伝送Ｅ−ＰＤＣＣＨとして選択するとともに、プレコーディング／ビーム成形処理を行なって伝送性能を高める。チャンネル情報を正確に取得できなかったり、又は隣接セールの干渉がサブフレームにつれて激しく変化し且つ予測できなかったり場合、ｄｉｓｔｒｉｂｕｔｅｄ伝送態様を採用してＥ−ＰＤＣＣＨを伝送する必要がある。
即ち、周波数が連続しない周波数資源を使用して伝送することで、周波数ダイバーシティ利得を取得する。
図５と図６はそれぞれｌｏｃａｌｉｚｅｄ伝送態様とｄｉｓｔｒｉｂｕｔｅｄ伝送態様によるＥ−ＰＤＣＣＨ伝送例を示す。伝送例において、１つのＤＣＩ伝送は４つのＰＲＢ  ｐａｉｒにおける資源を占有した。
【００１５】
ここで、以下のような幾つかのＥ−ＰＤＣＣＨ資源の定義がある。
Ａ、１つのＰＲＢ  ｐａｉｒにおいて固定のＮ個のＥ−ＲＥＧ／Ｅ-ＣＣＥに分割される。Ｅ−ＲＥＧ／Ｅ-ＣＣＥのサイズは異なる可能性がある。
Ｂ、１つのＰＲＢ  ｐａｉｒにおいて、システムの構成に基づいて（例えば、ｌｅｇａｃｙ  ＰＤＣＣＨ領域、ＣＲＳ、ＤＭＲＳ、ＣＳＩ−ＲＳ／Ｚｅｒｏ  Ｐｏｗｅｒ  ＣＳＩ−ＲＳ等の構成）、整数個のＥ−ＲＥＧ／Ｅ-ＣＣＥに分割される。ここで、Ｅ−ＲＥＧ／Ｅ-ＣＣＥの数はシステムの構造に基づいて決定されたもので、各サブフレームにおいて異なってもよい。
Ｃ、１つのＰＲＢ  ｐａｉｒにおいて、利用できるＲＥ資源は整数個のＥ−ＲＥＧに分割され、各Ｅ−ＲＥＧに含まれるＲＥの数は同じであり、固定数のＥ−ＲＥＧは１つのＥ−ＣＣＥを構成する。
【先行技術文献】
【特許文献】
【００１６】
【特許文献１】中国特許第１０２２０２３２４号明細書
【発明の概要】
【発明が解決しようとする課題】
【００１７】
上述の構成を前提とし、１つのＰＲＢ  ｐａｉｒにおいて固定のＮ個のＥ−ＲＥＧ／Ｅ-ＣＣＥに分割される場合、同じアグリゲーションレベルのＥ−ＰＤＣＣＨが異なるサブフレームにおいて異なる復調性をを有するようになる。例えば、１つのＰＲＢ  ｐａｉｒにおいて固定的に４つのＥ−ＣＣＥを含む時に、サブフレーム１におけるシステム参考信号の伝送を搬送するＲＥオーバーヘッドが多い場合、ＰＤＣＣＨ伝送の搬送に利用できるＲＥは少ない。逆に、サブフレーム２におけるシステム参考信号の伝送を搬送するＲＥオーバーヘッドが少ない場合、ＰＤＣＣＨ伝送を搬送できる利用できるＲＥは多い。そして、上記２つのサブフレームはＥ−ＰＤＣＣＨ伝送に対して同じ固定のＮ個のＥ−ＲＥＧが設定された場合、２つのサブフレームにそれぞれ配置されたＥ−ＣＣＥに含まれるＲＥの数は大幅に相違する。サブフレーム１におけるＥ−ＰＤＣＣＨ伝送を搬送するための利用できるＲＥの数は１５であり、サブフレーム２におけるＥ−ＰＤＣＣＨ伝送を搬送するための利用できるＲＥの数は３０である場合、Ｎ＝１とすると、サブフレーム１において１つのＥ−ＲＥＧに１５個のＲＥが含まれ、サブフレーム２において１つのＥ−ＲＥＧに３０個のＲＥが含まれる。よって、このようなＥ−ＰＤＣＣＨ伝送態様がＥ−ＰＤＣＣＨに大きいな影響を及ぼすことは明らかである。
【００１８】
本発明の実施例はＥ−ＰＤＣＣＨ性能を高めるために、Ｅ−ＰＤＣＣＨ伝送、ブラインド検出の方法および装置を提供する。
【課題を解決するための手段】
【００１９】
本発明の実施例は、Ｅ−ＰＤＣＣＨ伝送の方法と、Ｅ−ＰＤＣＣＨブラインド検出の方法と、Ｅ−ＰＤＣＣＨ伝送の装置と、Ｅ−ＰＤＣＣＨブラインド検出の装置とを提供する。
本発明にかかるＥ−ＰＤＣＣＨ伝送の方法は、ネットワーク側のプリセットの配置情報に基づいて、各サブフレームにおいてＥ−ＰＤＣＣＨ伝送を行う時に占有する時間・周波数資源で使用するＥ−ＰＤＣＣＨ伝送方式を、それぞれ確定するステップと、確定結果に基づいて、各サブフレームにおいて、対応する時間・周波数資源のＥ−ＰＤＣＣＨ伝送方式を使用して、端末側へＥ−ＰＤＣＣＨ伝送を行うステップとを備える。
【００２０】
本発明にかかるＥ−ＰＤＣＣＨブラインド検出の方法は、ネットワーク側の指示に基づいて、各サブフレームにおけるＥ−ＰＤＣＣＨブラインド検出を行なう時に使用する、占用するＥ−ＰＤＣＣＨ伝送方式の時間・周波数資源を、それぞれ確定するステップと、確定結果に基づいて、各サブフレームにおいて、対応するＥ−ＰＤＣＣＨ伝送方式の時間・周波数資源を使用して、Ｅ−ＰＤＣＣＨブラインド検出を行うステップとを備える。
【００２１】
ネットワーク側のプリセットした設定情報に基づいて、各サブフレームにおいてＥ−ＰＤＣＣＨ伝送を行う時に占有する時間・周波数資源をそれぞれ確定するための処理ユニットと、確定結果に基づいて、各サブフレームにおいて、対応する時間・周波数資源を使用して端末側へＥ−ＰＤＣＣＨ伝送を行うための通信ユニットとを備える。
【００２２】
本発明にかかるＥ−ＰＤＣＣＨブラインド検出の装置は、ネットワーク側の指示に基づいて、各サブフレームにおいてＥ−ＰＤＣＣＨブラインド検出を行う時に占有した時間・周波数資源をそれぞれ確定するための制御ユニットと、確定結果に基づいて、各サブフレームにおいて対応する時間・周波数資源を使用して、Ｅ−ＰＤＣＣＨブラインド検出をそれぞれ行うためのブラインド検出ユニットとを備える。
【発明の効果】
【００２３】
本発明の実施例において、システム構成に基づいてＥ−ＰＤＣＣＨ伝送の資源を設定する方法が提供される。ネットワークは、各サブフレームに、対応するＥ−ＰＤＣＣＨ伝送の資源設定を割り当てる。端末は、各サブフレームにおいて、異なる方式で、Ｅ−ＰＤＣＣＨブラインド検出をそれぞれ行う。このようにして、Ｅ−ＰＤＣＣＨ伝送はより良いリンクアダプティブを実現できることで、各サブフレームにおけるＥ−ＰＤＣＣＨ伝送の均一性を確保できる。従って、端末のＥ−ＰＤＣＣＨブラインド検出の効果を高め、Ｅ−ＰＤＣＣＨ復調の性能をさらに高める。
【図面の簡単な説明】
【００２４】
【図１】従来技術に係る次のダウンリンクサブフレームにおける制御領域とデータ領域の多重化関係の模式図である。
【図２】従来技術におけるＲＥＧの模式図である。
【図３】従来技術におけるＲ−ＰＤＣＣＨ及びＰＤＳＣＨ資源の模式図である。
【図４】従来技術におけるＣＳＩ−ＲＳ構成の模式図である。
【図５】従来技術における周波数領域が連続するＥ−ＰＤＣＣＨ伝送の模式図である。
【図６】従来の技術における周波数領域が連続しないＥ−ＰＤＣＣＨ伝送の模式図である。
【図７】本発明の実施例における基地局がＥ−ＰＤＣＣＨ伝送を行なうフローチャートである。
【図８】本発明の実施例における候補Ｅ−ＰＤＣＣＨの分割模式図である。
【図９】本発明の実施例における端末がＥ−ＰＤＣＣＨブラインド検出を行うフローチャートである。
【図１０】本発明の実施例における１つのＥ−ＲＥＧ設定模式図である。
【図１１】本発明の実施例における１つのＰＲＢ  ｐａｉｒにおいてＥ−ＰＤＣＣＨ伝送を搬送できるＲＥ設定の模式図である。
【図１２】本発明の実施例における基地局の機能構成の模式図である。
【図１３】本発明の実施例における端末の機能構成の模式図である。
【発明を実施するための形態】
【００２５】
Ｅ−ＰＤＣＣＨの性能を高めるために、本発明の実施例は、１つのＰＲＢ  ｐａｉｒにおいて固定資源が重なり合わない固定のＫ個のＥ−ＲＥＧを設置する。Ｅ−ＣＣＥは１つ又は複数のＥ−ＲＥＧにより構成する。
端末はＥ−ＰＤＣＣＨを検出する時に、上位層シグナリング指示及び／又はネットワーク側から通知されたプリセットの設定情報に基づいて、予め定義する原則に従って、Ｅ−ＰＤＣＣＨ検出時に使用する単一のアグリゲーションレベルの資源粒度（例えば、Ｅ−ＣＣＥ）に含まれるＥ−ＲＥＧの数を確定し、及び／又はＥ−ＰＤＣＣＨブラインド検出の最小アグリゲーションレベル集合及びアグリゲーションレベル集合（各アグリゲーションレベルによる候補Ｅ−ＰＤＣＣＨの数とも呼ばれる）を確定する。
【００２６】
以下、本発明の好ましい実施例を図面を参考しながら具体的に説明する。
【００２７】
図７に示す通り、本発明の実施例において、基地局がＥ−ＰＤＣＣＨ伝送を行なう概要フローチャートは以下の通りである。
【００２８】
ステップ７００：基地局は、ネットワーク側のプリセットした設定情報に基づいて、各サブフレームにおけるＥ−ＰＤＣＣＨ伝送を行なう時に占有する時間/周波数資源をそれぞれ確定する。
【００２９】
本発明の実施例において、ステップ７００を実行する時に、以下の２つの態様のうちの１つの態様又は組合せの態様を選択できる（示例として示したものであり、そのものに限定するものではない）。
【００３０】
第１の態様（以下、態様Ａと呼ばれる）は以下の通りである。基地局はネットワーク側のプリセットした設定情報に基づいて、各サブフレームにおける単一のアグリゲーションレベルによる資源粒度（例えば、Ｅ−ＣＣＥ）に含まれるＥ−ＲＥＧの数を確定する。
【００３１】
態様Ａを採用する時に、各サブフレームにおいて固定の数のＥ−ＣＣＥを設置したことで、基地局はネットワーク側のプリセットした設定情報に基づいて、各サブフレームにおける単一のアグリゲーションレベルによる１つのＥ−ＣＣＥに含まれるＥ−ＲＥＧの数を確定できる。
このようにして、各サブフレームにおけるＥ−ＰＤＣＣＨ伝送をそれぞれ搬送するためのＲＥの数が近似するように確保できることで、各サブフレームのＥ−ＰＤＣＣＨ伝送の性能の整合性を確保する。
【００３２】
第２態様（以下、態様Ｂと呼ばれる）は以下の通りである。基地局はネットワーク側のプリセットした設定情報に基づいて、プリセットのルールで、各サブフレームに対応するアグリゲーションレベル集合及び最小アグリゲーションレベルをそれぞれ確定する。
【００３３】
態様Ｂを採用した時に、各サブフレームにおいて固定の数のＥ−ＣＣＥとＥ−ＲＥＧを設置したことで、基地局はネットワーク側のプリセットした設定情報に基づいて、各サブフレームに対応するアグリゲーションレベル集合を設置できる。
このようにして、各サブフレームにおける対応するアグリゲーションレベル集合をそれぞれ使用してＥ−ＰＤＣＣＨ伝送を行なう時に、各サブフレームにおけるＥ−ＰＤＣＣＨ伝送をそれぞれ搬送するためのＲＥの数も近似するように確保できることで、各サブフレームのＥ−ＰＤＣＣＨ伝送の性能の整合性を確保する。
【００３４】
以下の実施例において、この２つの態様をそれぞれ具体的に説明する。
【００３５】
ステップ７１０：基地局は確定結果に基づいて、各サブフレームにおいて対応する時間／周波数資源を使用して端末側へＥ−ＰＤＤＣＨ伝送を行なう。
【００３６】
具体的には、以下の通りである。
基地局は態様Ａで各サブフレームを設定する場合、基地局は、各サブフレームにおいて単一のアグリゲーションレベル場合のＥ−ＣＣＥに含まれる対応する数のＥ−ＲＥＧを使用して、Ｅ−ＰＤＣＣＨ伝送を行なう。
【００３７】
基地局は態様Ｂで各サブフレームを設定する場合、基地局は、各サブフレームにおいて対応するアグリゲーションレベル集合を使用して、Ｅ−ＰＤＣＣＨ伝送を行なう。
【００３８】
当然ながら、上記の態様Ａと態様Ｂは同時に使用されてもよい。即ち、基地局は各サブフレームにおける単一のアグリゲーションレベル場合のＥ−ＣＣＥに含まれるＥ−ＲＥＧの数も設置し、各サブフレームにおいて対応するアグリゲーションレベル集合及び最小アグリゲーションレベルも設置する。
このようにして、各サブフレームにおけるＥ−ＰＤＣＣＨ伝送をそれぞれ搬送するためのＲＥの数はもっと正確に制御されることができる。
【００３９】
以下、上記の実施例に基づいて、態様Ａと態様Ｂの具体的な実施を詳しく記述する。
【００４０】
態様Ａ：
基地局は、ネットワーク側のプリセットした設定情報に基づいて、プリセットのルールで、各サブフレームにおける単一のアグリゲーションレベル場合のＥ−ＣＣＥに含まれるＥ−ＲＥＧの数を確定できる。具体的には、以下の通りである（任意の１つのサブフレームを例とする）。
【００４１】
まず、基地局は、ネットワーク側のプリセットした設定情報に基づいて、上記の任意の１つのサブフレームにおける参考信号（例えば、ｌｅｇａｃｙ  ＰＤＣＣＨ領域、ＣＲＳ、ＤＭＲＳ、ＣＳＩ−ＲＳ／Ｚｅｒｏ  Ｐｏｗｅｒ  ＣＳＩ−ＲＳ）伝送を搬送するＲＥの数を確定して、Ｎと記載する。
【００４２】
そして、基地局は、Ｎに基づいて、上記の任意の１つのサブフレーム内の１つのＥ−ＲＥＧにおける、Ｅ−ＰＤＣＣＨ伝送の搬送に利用できるＲＥの数を確定して、Ｒと記載する。
【００４３】
具体的には、Ｒ＝[Ｎ／Ｋ]を採用して、１つのサブフレームにおける、Ｅ−ＰＤＣＣＨ伝送の搬送に利用できるＲＥの数を算出する。
ここで、Ｋはプリセットの１つのＰＲＢ  ｐａｉｒに含まれる固定のＲＥＧ数である。
【００４４】
最後、基地局は、Ｒを設定閾値と比較し、比較結果に基づいて、上記の任意の１つのサブフレームにおける単一のアグリゲーションレベル場合のＥ−ＣＣＥに含まれるＥ―ＲＥＧの数を確定する。
【００４５】
具体的には、Ｒ≦設定閾値である場合、１つのＥ−ＣＣＥに２つのＥ−ＲＥＧが含まれる（２つ以上のＲＥＧを含んでもよい、具体な状況に基づいて確定する）ように設置する。
Ｒ＞設定閾値である場合、１つのＥ−ＣＣＥに１つのＥ−ＲＥＧが含まれるように設置する。このようにして、各サブフレームのＥ−ＰＤＣＣＨ伝送の性能がある程度までに均一にできるようになる。
【００４６】
例えば、サブフレーム１におけるシステム参考信号の伝送を搬送するＲＥオーバーヘッドが多い場合、Ｅ−ＰＤＣＣＨ伝送を搬送する利用できるＲＥは少ない。
例えば、１つのＥ−ＲＥＧにおいて１５個のＲＥを含む。逆に、サブフレーム２におけるシステム参考信号の伝送を搬送するＲＥオーバーヘッドが少ない場合、Ｅ−ＰＤＣＣＨ伝送を搬送する利用できるＲＥは多い。例えば、１つのＥ−ＲＥＧにおいて３０個のＲＥを含む。
そして、上記の２つのサブフレームはＥ−ＰＤＣＣＨ伝送に対して同じ１つの固定Ｅ−ＲＥＧが設定されたとすると、それがＥ−ＰＤＣＣＨ伝送を搬送することに利用できるＲＥの合計数は３０である。
同じく、サブフレーム２における１つのＥ−ＣＣＥに１つのＥ−ＲＥＧが含まれるように設定すると、Ｅ−ＰＤＣＣＨ伝送の搬送に利用できるＲＥの合計数も３０である。
よって、サブフレーム１とサブフレーム２のＥ−ＰＤＣＣＨ伝送の性能はある程度ある程度の均一性がとられるようになっている。
【００４７】
この方法を採用ことで、単一のアグリゲーションレベルの資源粒度（即ち、Ｅ−ＣＣＥ）に含まれるＥ−ＲＥＧの数が可変できるようになる。
この方法は、Ｌｅｇａｃｙ  ＰＤＣＣＨにおいて定義するアグリゲーションレベル集合｛１、２、４、８｝を変更せず、Ｅ−ＣＣＥに含まれるＥ−ＲＥＧの数を調整することで、異なるシステム構成の場合に各サブフレームの間で同じアグリゲーションレベルを使用する時に大体近時するＲＥの数を持たせる。
これにより、同じアグリゲーションレベルのＥ−ＰＤＣＣＨ伝送の性能は大体同じくなる。
【００４８】
一方、基地局は、ステップ７００を実行した後、且つステップ７１０を実行する前に、上位層シグナリングを介して、各サブフレームに対応する単一のアグリゲーションレベル場合のＥ−ＣＣＥに含まれるＥ−ＲＥＧの数を直接に端末に指示するか、又は、ネットワーク側のプリセットした設定情報を端末に通知し、端末が同じプリセットのルールで各サブフレームにおける単一のアグリゲーションレベル場合のＥ−ＣＣＥに含まれるＥ−ＲＥＧの数をそれぞれ確定するようにしてもよい。
【００４９】
態様Ｂ：
基地局は、ネットワーク側のプリセットした設定情報に基づいて、プリセットのルールをで、各サブフレームに対応するアグリゲーションレベル集合及び最小アグリゲーションレベルをそれぞれ確定する。
具体的には、以下の通りである（任意の１つのサブフレームを例とする）。
【００５０】
まず、基地局は、ネットワーク側のプリセットした設定情報に基づいて、上記任意の１つのサブフレームにおける参考信号（例えば、ｌｅｇａｃｙ  ＰＤＣＣＨ領域、ＣＲＳ、ＤＭＲＳ、ＣＳＩ−ＲＳ／Ｚｅｒｏ  Ｐｏｗｅｒ  ＣＳＩ−ＲＳ）伝送を搬送するＲＥの数を確定して、確定したＲＥの数をＮと記載する。
【００５１】
そして、基地局は、Ｎに基づいて、上記任意の１つのサブフレーム内の１つのＥ−ＲＥＧにおける、Ｅ−ＰＤＣＣＨ伝送の搬送に利用できるＲＥの数を確定して、確定したＲＥの数をＲと記載する。
【００５２】
具体的には、Ｒ＝[Ｎ／Ｋ]を採用して、１つのサブフレームにおける、Ｅ−ＰＤＣＣＨ伝送の搬送に利用できるＲＥの数を算出する。
【００５３】
ここで、Ｋはプリセットした１つのＰＲＢ  ｐａｉｒに含まれる固定のＲＥＧ数である。
【００５４】
最後、基地局は、Ｒを設定閾値と比較して、比較結果に基づいて、上記任意の１つのサブフレームに対応するアグリゲーションレベル集合及び最小アグリゲーションレベルを確定する。
【００５５】
具体的には、Ｒ≦設定閾値である場合、上記任意の１つのサブフレームに対応するアグリゲーションレベル集合を｛２、４、８、１６｝であり、最小アグリゲーションレベルが２であるように設置する。
Ｒ＞設定閾値である場合、上記任意の１つのサブフレームに対応するアグリゲーションレベル集合が｛１、２、４、８｝であり、最小アグリゲーションレベルが２であるように設置する。
このようにして、各サブフレームのＥ−ＰＤＣＣＨ伝送の性能がある程度までに均一できるようになる。
【００５６】
例えば、各サブフレームにおいて１つの固定Ｅ−ＣＣＥが設置され、且つ１つのＥ−ＣＣＥに１つの固定Ｅ−ＲＥＧが含まれる場合、サブフレーム１における１つのＥ−ＲＥＧにおいて１５個のＲＥが含まれ、サブフレーム２における１つのＥ−ＲＥＧにおいて３０個のＲＥが含まれるとすると、サブフレーム１に対応するアグリゲーションレベル集合が｛２、４、８、１６｝であり、最小アグリゲーションレベルが２であるように設置すると、サブフレーム１におけるＥ−ＰＤＣＣＨ伝送を搬送することに利用できるＲＥの数の集合は｛３０、６０、１２０、２４０｝である。
同じく、サブフレーム２に対応するアグリゲーションレベル集合が｛１、２、４、８｝であり、最小アグリゲーションレベルが１であるように設置すると、サブフレーム２におけるＥ−ＰＤＣＣＨ伝送を搬送することに利用できるＲＥの数の集合は｛３０、６０、１２０、２４０｝である。
よって、サブフレーム１とサブフレーム２のＥ−ＰＤＣＣＨ伝送の性能はある程度までに均一できるようになる。
【００５７】
この方法を採用することで、単一のアグリゲーションレベル資源粒度（Ｅ−ＣＣＥ）に含まれるＥ−ＲＥＧの数は変わらない。
ここで、Ｅ−ＣＣＥに含まれるＥ−ＲＥＧの数はＬ個である。例えば、サブフレームにおけるシステム現在設定した参考信号のオーバーヘッドが少ない場合、依然として従来のｌｅｇａｃｙ  ＰＤＣＣＨに定義されたアグリゲーションレベル集合を続用する。
サブフレームにおけるシステム現在設定したオーバーヘッドが多い場合、アグリゲーションレベル集合が｛２、４、８、１６｝であるように設置する。
これも、異なるアグリゲーションレベルのために候補Ｅ−ＰＤＣＣＨを設定することに相当する。アグリゲーションレベル１の場合に設定された候補Ｅ−ＰＤＣＣＨの数は通常に０である。
アグリゲーションレベル１６の場合に候補Ｅ−ＰＤＣＣＨの数を増加する。候補Ｅ−ＰＤＣＣＨの分割態様については、具体的に図８を参照してください。
このようにして、各サブフレームの間で同じアグリゲーションレベルを使用する時に大体類似するＲＥの数を持つようになる。
これにより、同じアグリゲーションレベルのＥ−ＰＤＣＣＨ伝送の性能は大体均一できるようになる。
【００５８】
一方、基地局は、ステップ７００の後、且つステップ７１０を実行する前に、上位層シグナリングを介して、各サブフレームに対応するアグリゲーションレベル及び最小アグリゲーションレベルを端末に通知するか、又は、ネットワーク側のプリセットした設定情報を端末に通知して、端末がネットワーク側と同じプリセットのルールで、各サブフレームに対応するアグリゲーションレベル集合及び最小アグリゲーションレベルを確定するように指示する。
ここで、上位層シグナリングを介して、各サブフレームに対応するアグリゲーションレベル及び最小アグリゲーションレベルを端末に通知する場合、基地局が採用する具体的な通知態様は以下の３つの態様を含むが、それに限らない。
【００５９】
１、基地局は、最小アグリゲーションレベルを端末に通知して、端末が、取得した最小アグリゲーションレベルに基づいて、対応するアグリゲーションレベルを確定するように指示する。例えば、端末は、最小アグリゲーションレベル１を通知され、当該通知に基づいて、アグリゲーションレベル集合が｛１、２、４、８｝であると自分で推定する。
２、基地局は、アグリゲーションレベル集合を端末に通知して、端末が、取得したアグリゲーションレベル集合に基づいて、対応する最小アグリゲーションレベルを確定するように指示する。例えば、端末は、アグリゲーションレベル集合｛１、２、４、８｝を通知され、当該通知に基づいて、最小アグリゲーションレベルが１であると自分で推定する。
３、基地局は、候補Ｅ−ＰＤＣＣＨチャネル集合を端末に通知して、端末が、候補Ｅ−ＰＤＣＣＨチャネル集合に基づいて、アグリゲーションレベル集合及び最小アグリゲーションレベルを推定するように指示する。
【００６０】
例えば、通常の場合、基地局により端末Ｅ−ＰＤＣＣＨへ設定した、アグリゲーションレベル集合｛１、２、４、８｝における、対応する、ブラインド検出に利用できる候補Ｅ−ＰＤＣＣＨ集合は｛６、６、２、２｝である。
これにより、最小アグリゲーションレベルが１であることが分かる。端末に設定した、アグリゲーションレベル集合｛１、２、４、８、１６｝における、対応する、ブラインド検出に利用できる候補Ｅ−ＰＤＣＣＨ集合は｛０、６、６、２、２｝であることから、ブラインド検出の最小アグリゲーションレベルが２であり、実際のブラインド検出のアグリゲーションレベルが｛２、４、８、１６｝であることが分かる。
それで、基地局が通知した候補Ｅ−ＰＤＣＣＨ集合が｛６、６、２、２｝である場合、端末は、対応するアグリゲーションレベル集合が｛１、２、４、８｝であり、最小アグリゲーションレベルが１であることを確定する。
基地局により通知した候補Ｅ−ＰＤＣＣＨ集合が｛０、６、６、２、２｝である場合、端末は対応するアグリゲーションレベル集合が｛２、４、８、１６｝であり、最小アグリゲーションレベルが２であることを確定する。
【００６１】
一方、本発明の実施例において、基地局が上記の態様Ａと態様Ｂを同時に使用する場合、基地局は上位層シグナリングを介して、各サブフレームにおける単一のアグリゲーションレベル場合のＥ−ＣＣＥに含まれるＥ−ＲＥＧの数を端末に通知し、また、ネットワーク側のプリセットした設定情報を端末側に通知して、端末が、ネットワーク側と同様なプリセットルールで、各サブフレームに対応するアグリゲーションレベル及び最小アグリゲーションレベルを確定するように指示する。
【００６２】
上述の実施例に対応し、図９に示すように、本発明の実施例において、端末が、基地局から指示した時間／周波数資源に基づいて、Ｅ−ＰＤＣＣＨブラインド検出を行なう概要フローチャートは以下の通りである。
【００６３】
ステップ９００：端末は、ネットワーク側の指示に基づいて、各サブフレームにおけるＥ−ＰＤＣＣＨブラインド検出を行なう時に占有する時間/周波数資源をそれぞれ確定する。
【００６４】
本発明の実施例において、ステップ９００を実行する時に、以下の２つの態様のうちの１つの態様又は組合せの態様を選択できる（例示するためのみで、それに限定するものではない）。
【００６５】
態様Ｃ：端末は、ネットワーク側から送信した上位層シグナリングに基づいて、又は、取得したネットワーク側のプリセットした設定情報に基づいて、ネットワーク側と同じプリセットのルールで、各サブフレームにおける単一のアグリゲーションレベルの資源粒度に含まれるＥ−ＲＥＧの数をそれぞれ確定する。
【００６６】
ここで、端末は、取得したネットワーク側のプリセットした設定情報に基づいて、ネットワーク側と同じプリセットのルールで、任意の１つのサブフレームにおける単一のアグリゲーションレベルの資源粒度に含まれるＥ―ＲＥＧの数を確定する時に、ネットワーク側のプリセットした設定情報に基づいて、前記任意の１つのサブフレームにおける参考信号の伝送を搬送する資源エレメント（ＲＥ）の数を確定するとともに、参考信号の伝送を搬送する上記の資源エレメント（ＲＥ）の数に基づいて、上記任意の１つのサブフレームにおける１つのＲ−ＲＥＧにおいてＥ−ＰＤＣＣＨ伝送を搬送するＲＥの数を確定する。
そして、Ｅ−ＰＤＣＣＨ伝送を搬送するＲＥの数を設定閾値と比較して、比較結果に基づいて、上記任意の１つのサブフレームにおける単一のアグリゲーションレベルの資源粒度に含まれるＥ−ＲＥＧの数を確定することができる。
【００６７】
この方法を採用することで、単一のアグリゲーションレベルの資源粒度（即ち、Ｅ−ＣＣＥ）に含まれるＥ−ＲＥＧの数が可変であるようにする。
この方法は、Ｌｅｇａｃｙ  ＰＤＣＣＨにおいて定義するアグリゲーションレベル集合｛１、２、４、８｝を変更せずに、Ｅ−ＣＣＥに含まれるＥ−ＲＥＧの数を調整することで、異なるシステム構成の場合に各サブフレームの間で同じアグリゲーションレベルを使用する時に、大体類似するＲＥの数を持つようになる。
これにより、同じアグリゲーションレベルのＥ−ＰＤＣＣＨ伝送の性能は、均一的になる。
【００６８】
態様Ｄ：端末は、ネットワーク側から送信した上位層シグナリングに基づいて、又は、取得したネットワーク側のプリセットした設定情報に基づいて、ネットワーク側と同じプリセットのルールで、各サブフレームに対応するアグリゲーションレベル集合及び最小アグリゲーションレベルをそれぞれ確定する。
【００６９】
ここで、端末は、取得したネットワーク側のプリセットした設定情報に基づいて、ネットワーク側と同じプリセットのルールで、任意の１つのサブフレームに対応するアグリゲーションレベル集合及び最小アグリゲーションレベルを確定する時に、取得したネットワーク側のプリセットした設定情報に基づいて、前記任意の１つのサブフレームにおける参考信号の伝送を搬送する資源エレメント（ＲＥ）の数を確定するとともに、参考信号の伝送を搬送するＲＥの数に基づいて、上記任意の１つのサブフレームにおける１つのＲ−ＲＥＧにおいてＥ−ＰＤＣＣＨ伝送を搬送するＲＥの数を確定する。
そして、ＰＤＣＣＨ伝送を搬送するＲＥの数を設定閾値と比較して、比較結果に基づいて、上記任意の１つのサブフレームに対応するアグリゲーションレベル集合及び最小アグリゲーションレベルを確定することができる。
【００７０】
さらに、端末は、ネットワーク側から送信した上位層シグナリングに基づいて、任意の１つのサブフレームに対応するアグリゲーションレベル集合及び最小アグリゲーションレベルを確定することは、以下の３つの態様を採用してもよいが、その３つの態様に制限されない。
１、端末は、ネットワーク側から送信した上位層シグナリングに基づいて、上記任意の１つのサブフレームに対応する最小アグリゲーションレベルを取得するとともに、上記の最小アグリゲーションレベルに基づいて、対応するアグリゲーションレベルを確定する。
又は、２、端末は、ネットワーク側から送信した上位層シグナリングに基づいて、上記任意の１つのサブフレームに対応するアグリゲーションレベル集合を取得するとともに、上記のアグリゲーションレベル集合に基づいて、対応する最小アグリゲーションレベルを確定する。
又は、３、端末は、ネットワーク側から送信した上位層シグナリングに基づいて、上記任意の１つのサブフレームに対応するＥ−ＰＤＣＣＨチャネル集合を取得するとともに、当該候補Ｅ−ＰＤＣＣＨチャネル集合に基づいて、対応するアグリゲーションレベル集合及び最小アグリゲーションレベルを確定する。
【００７１】
この方法を採用することで、単一のアグリゲーションレベル資源粒度（Ｅ−ＣＣＥ）に含まれるＥ−ＲＥＧの数は一定値となる。ここで、Ｅ−ＣＣＥに含まれるＥ−ＲＥＧの数はＬ個であり、異なるアグリゲーションレベルのために候補Ｅ−ＰＤＣＣＨを設定することに相当する。
通常、アグリゲーションレベル１の場合に設定された候補Ｅ−ＰＤＣＣＨの数は０である。アグリゲーションレベル１６のもとに候補Ｅ−ＰＤＣＣＨの数を増加する。候補Ｅ−ＰＤＣＣＨの分割態様については、具体的に図８を参照する。
このようにして、異なるシステム構成の場合、各サブフレームの間で同じアグリゲーションレベルを使用する時に大体類似するＲＥの数を持つようになる。これにより、同じアグリゲーションレベルのＥ−ＰＤＣＣＨ伝送の性能は均一できるようになる。
【００７２】
一方、本発明の実施例において、基地局が態様Ａと態様Ｂを同時に使用した場合、これに応じて、端末は態様Ｃと態様Ｄを組み合わせて必要な情報を取得できる。即ち、端末は、ネットワーク側から送信した上位層シグナリングに基づいて、各サブフレームにおける単一のアグリゲーションレベル場合のＥ−ＣＣＥに含まれるＥ−ＲＥＧの数を取得するとともに、取得したネットワーク側のプリセットした設定情報に基づいて、ネットワーク側と同じプリセットのルールで各サブフレームに対応するアグリゲーションレベル集合及び最小アグリゲーションレベルを確定する。
【００７３】
ステップ９１０：端末は、確定結果に基づいて、各サブフレームにおいて対応する時間・周波数資源をそれぞれ採用して、Ｅ−ＰＤＣＣＨブラインド検出を行う。
【００７４】
具体的には、基地局は態様Ａを採用して各サブフレームを設定する場合、端末は各サブフレームにおいて、対応する単一のアグリゲーションレベル場合のＥ−ＣＣＥに含まれる対応数のＥ−ＲＥＧに従って、ブラインド検出をそれぞれ行なう。
【００７５】
基地局は態様Ｂを採用して各サブフレームを設定する場合、端末は各サブフレームにおいて、対応するアグリゲーションレベル集合及び最小アグリゲーションレベルに従って、Ｅ−ＰＤＣＣＨブラインド検出をそれぞれ行なう。
【００７６】
当然ながら、上記の態様Ａと態様Ｂは同時に使用されてもよい。その場合、端末は各サブフレームにおける単一のアグリゲーションレベル場合のＥ−ＣＣＥに含まれるＥ−ＲＥＧの数、及び各サブフレームに対応するアグリゲーションレベル集合及び最小ゲーションレベルに基づいて、Ｅ−ＰＤＣＣＨブラインド検出を行なう。これにより、よりよいＥ−ＰＤＣＣＨ性能を得る。
【００７７】
当然ながら、上記の各方法はＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ、マルチメディアブロードキャストマルチキャストサービス単一周波数ネットワーク）サブフレームとＤｗＰＴＳ（ダウンリンクパイロットタイムスロット）の何れにおいても適用できる。
ここで、ＤｗＰＴＳ設定が０と５である２つの情況に関して、この時のＤｗＰＴＳは、３つのＯＦＤＭ符号しか占有しないため、このようなＤｗＰＴＳ設定で、ＤｗＰＴＳにおいてＥ−ＰＤＣＣＨをサポートする場合、基地局はＤｗＰＴＳにおける単一のアグリゲーションレベル場合のＥ−ＣＣＥに含まれるＥ−ＲＥＧの数、又はＤｗＰＴＳのアグリゲーションレベルをさらに高めることができる。又は、このようなＤｗＰＴＳ設定に制限され、Ｅ−ＰＤＣＣＨ伝送をサポートしない。
【００７８】
上記のステップ９００〜ステップ９１０における端末の具体的な実行態様は、基地局側と整合する。具体的には、基地局側に関する記述を参考してください。ここでは記述を重複しない。
【００７９】
以下、幾つの具体的な応用シナリオにより、上記の実施例をさらに説明する。
【００８０】
図１０に示す通り、１つのＰＲＢ  ｐａｉｒには資源が重ならない４個のＥ−ＲＥＧを含むとする。
また、図１１に示す通り、以下の２つのシステムが存在するとする。
【００８１】
システム構成１：
Ｎｏｒｍａｌ  ＣＰタイプにおいて、２個のＣＲＳポート（１６個のＲＥ）、４個のＤＭＲＳポート（２４個のＲＥ）、ｌｅｇａｃｙ  ＰＤＣＣＨ制御領域は１個のＯＦＤＭ符号を占有し（ＣＲＳを除いて、８個のＲＥを占有する）、ＣＳＩ−ＲＳ／Ｚｅｒｏ  Ｐｏｗｅｒ  ＣＳＩ−ＲＳポートを設定していない。
この場合、１つのＰＲＢ  ｐａｉｒにおける利用できるＲＥの数は、１６８−（１６＋２４＋８）＝１２０のようであり、であり、各Ｅ−ＲＥＧは大体１２０÷４＝３０の数のＲＥを有する。図１１の子図Ａ）に示す通りである。
【００８２】
システム構成２：
Ｎｏｒｍａｌ  ＣＰタイプにおいて、２個のＣＲＳポート（１６個のＲＥ）、４個のＤＭＲＳポート（２４個のＲＥ）、ｌｅｇａｃｙ  ＰＤＣＣＨ制御領域は２個のＯＦＤＭ符号を占有し（ＣＲＳを除いて、２０個のＲＥを占有した）、８個のポートのＣＳＩ−ＲＳ（８個のＲＥ）、及び全ての可能なＺｅｒｏ  Ｐｏｗｅｒ  ＣＳＩ−ＲＳ  ポート（２４個のＲＥ）。
この場合、１つのＰＲＢ  ｐａｉｒにおける利用できるＲＥの数は、１６８−（１６＋２４＋２０）−（８＋２４）＝７６に示す数であり、各Ｅ−ＲＥＧは大体７６÷４＝１９に示す数のＲＥを有する。具体的には、図１１のサブ図Ｂ）に示す通りである。
【００８３】
第１の応用状況において、上記のシステム構成１を採用する場合、１つのＥ−ＲＥＧの数は１であってもよい。上記のシステム構成２を採用する場合、１つのＥ−ＲＥＧの数は２であってもよい。
【００８４】
第２応用状況において、１つのＥ−ＣＣＥは上記の１つのＥ−ＲＥＧにより構成する。そこで、上記のシステム構成１を採用する場合、１つのＥ−ＲＥＧのサイズは大体３０個のＲＥであり、Ｅ−ＰＤＣＣＨブラインド検出のために設定されたアグリゲーションレベル集合はｌｅｇａｃｙ  ＰＤＣＣＨのアグリゲーションレベル集合と同じであってもよい、｛１，２，４，８｝であり、その最小アグリゲーションレベル集合は１である。上記のシステム構成２を採用する場合、１つのＥ−ＲＥＧのサイズは大体１９個のＲＥであり、Ｅ−ＰＤＣＣＨブラインド検出のために設定された最小アグリゲーションレベルは２であり、対応するアグリゲーションレベル集合は｛２，４，８，１６｝であってもよい。
【００８５】
又は、上記の第２応用状況において、基地局は、各アグリゲーションレベルによる候補Ｅ−ＰＤＣＣＨ集合を設定する方法により、Ｅ−ＰＤＣＣＨブラインド検出に用いられるアグリゲーションレベル集合及び最小アグリゲーションレベルを指示する。
例えば、１つのＥ−ＣＣＥは上記の１つのＥ−ＲＥＧにより構成する。そこで、上記のシステム構成１を採用する場合、基地局が端末のために設定した、アグリゲーションレベル｛１，２，４，８｝のもとでブラインド検出に用いられる候補Ｅ−ＰＤＣＣＨ集合は｛６，６，２，２｝であり、そのブラインド検出の最小アグリゲーションレベルは１である。そこで、端末が実際に使用した、Ｅ−ＰＤＣＣＨブラインド検出に用いられるアグリゲーションレベル集合は｛１，２，４，８｝である。
上記のシステム構成２を採用する場合、１つのＥ−ＣＣＥのサイズは大体１９個のＲＥであり、基地局が端末のために設定した、アグリゲーションレベル｛１，２，４，８｝のもとでブラインド検出に用いられる候補Ｅ−ＰＤＣＣＨ集合は｛０，８，４，４｝である。これにより実際にブラインド検出に用いられる最小アグリゲーションレベルは２であり、実際にブラインド検出に用いられるアグリゲーションレベル集合は｛２，４，８｝であることが分かる。
又は、基地局が端末のために設定した、アグリゲーションレベル｛１，２，４，８，１６｝のもとでブラインド検出に用いられる候補Ｅ−ＰＤＣＣＨ集合は｛０，６，６，２，２｝であってもよい。そのことから、それが実際にブラインド検出に用いられる最小アグリゲーションレベルは２であり、実際にブラインド検出に用いられるアグリゲーションレベル集合は｛２，４，８，１６｝であることが分かる。
【００８６】
上記の各実施例によれば、図１２と図１３に示す通り、本発明の実施例において、基地局は処理ユニット１２０と通信ユニット１２１を備える。
【００８７】
処理ユニット１２０は、ネットワーク側のプリセットした設定情報に基づいて各サブフレームにおいてＥ−ＰＤＣＣＨ伝送を行う時に占有する時間・周波数資源をそれぞれ確定するためのものである。
【００８８】
通信ユニット１２１は、確定結果に基づいて各サブフレームにおいて対応する時間・周波数資源を使用して端末側へＥ−ＰＤＣＣＨ伝送を行うためのものである。
【００８９】
端末はネットワーク側の指示に基づいて各サブフレームにおいてＥ−ＰＤＣＣＨブラインド検出を行う時に占有した時間・周波数資源をそれぞれ確定する制御ユニット１３０と、確定結果に基づいて各サブフレームにおいて対応する時間・周波数資源を使用してＥ−ＰＤＣＣＨブラインド検出をそれぞれ行うブラインド検出ユニット１３１とを備える。
【００９０】
以上により、本発明の実施例において、システム配置に基づいてＥ−ＰＤＣＣＨ伝送の資源を設定する方法が提供される。
ネットワークはサブフレーム割当ごとに対応するＥ−ＰＤＣＣＨ伝送の資源の設定を行う。端末は各サブフレームにおいて、異なる方式を採用してＥ−ＰＤＣＣＨブラインド検出をそれぞれ行う。
このようにして、Ｅ−ＰＤＣＣＨ伝送はよりよいリンクアダプティブを実現することで、各サブフレームにおけるＥ−ＰＤＣＣＨ伝送の均一性を確保できる。従って、端末のＥ−ＰＤＣＣＨブラインド検出の効果を高め、Ｅ−ＰＤＣＣＨ復調の性能をさらに高める。
【００９１】
当業者にとって理解すべきは、本発明の実施形態が方法、システム、又はコンピュータプログラム製品で提供されることができる。従って、本発明は完全ハードウェア実施形態、完全ソフトウェア実施形態、又はソフトウェアとハードウェアの合わせの実施形態を用いることができる。かつ、本発明は１つ又は複数のその中にコンピュータ利用可能なプログラムコードを含むコンピュータ利用可能な記憶媒介（磁気メモリ、ＣＤ−ＲＯＭ、光学メモリ等を含むがこれらに限られない）で実施するコンピュータプログラム製品の形式を用いることができる。
【００９２】
以上は本発明の実施例の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における１つ或いは複数のフローおよび／またはブロック図における１つ或いは複数のブロックに指定する機能を実現する。
【００９３】
これらのコンピュータプログラム指令は又、コンピュータ或いは他のプログラム可能なデータ処理装置を特定態様で動作させるコンピュータ読取記憶装置に記憶できる。これによって、指令を含む装置は当該コンピュータ読取記憶装置内の指令を実行でき、フロー図における１つ或いは複数のフローおよび／またはブロック図における１つ或いは複数のブロックに指定する機能を実現する。
【００９４】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における１つ或いは複数のフローおよび／またはブロック図における１つ或いは複数のブロックに指定する機能を実現する。
【００９５】
上述した実施形態に記述された技術的な解決手段を改造し、或いはその中の一部の技術要素を置換することもできる。そのような、改造と置換は本発明の各実施形態の技術の範囲から逸脱するとは見なされない。
【００９６】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の特許請求の範囲に属する。
【図１】
2015520549.tif 000003
【図２】
2015520549.tif 000004
【図３】
2015520549.tif 000005
【図４】
2015520549.tif 000006
【図５】
2015520549.tif 000007
【図６】
2015520549.tif 000008
【図７】
2015520549.tif 000009
【図８】
2015520549.tif 000010
【図９】
2015520549.tif 000011
【図１０】
2015520549.tif 000012
【図１１】
2015520549.tif 000013
【図１２】
2015520549.tif 000014
【図１３】
2015520549.tif 000015
【国際調査報告】
2015520549.tif 000016
2015520549.tif 000017
2015520549.tif 000018
2015520549.tif 000019